(57)【要約】【課題】複数番組を一纏めにしたダイジェストを作成可能とする。【解決手段】ダイジェストを作成する番組のコンテンツは、映像コンテンツ入力部１０２からシーン分割部１０３に供給され、各シーン毎に分割される。分割されたシーンは、シーン抽出部１０６により、キーワード入力部１０４で指定されるキーワードに対し、各シーン毎にシーンの重要度が求められる。そして、シーンの重要度が高いシーンをダイジェストシーンとして抽出し、このダイジェストシーンを指定するポインタがプレイリスト登録部１０７に供給し、そのシーンの重要度に応じた順序で、指定された上記のキーワードと関連づけて登録し、この番組のこの指定されたキーワードに関するダイジェストのプレイリストを作成する。同じ指定キーワードの番組の同様にして得られたダイジェストシーンのポインタは、この指定キーワードに関連したプレイリストに追加して登録される。【選択図】図１
2008022351.tif 000002
【特許請求の範囲】
【請求項１】
番組のダイジェストを作成するダイジェスト作成装置であって、
番組に対する所定の属性情報を取得するメタ情報取得部と、
属性情報に基づく所定のシーン選択基準に従って該番組のコンテンツをシーンに分割するシーン分割部と、
キーワードを指定するキーワード入力部と、
該シーン分割部で分割されたシーン毎に、指定された該キーワードに対するシーンの重要度を求め、該シーンの重要度が高い該シーンをダイジェストシーンとして抽出するシーン抽出部と、
抽出されたダイジェストシーンのプレイリストを指定された該キーワードに関連付けて登録するプレイリスト登録部と
を有することを特徴としたダイジェスト作成装置。
【請求項２】
請求項１に記載のダイジェスト作成装置であって、
前記プレイリスト登録部で、同じキーワードに関連して複数の番組のダイジェストシーンのプレイリストを登録することを特徴としたダイジェスト作成装置。
【請求項３】
請求項２に記載のダイジェスト作成装置であって、
ダイジェストシーンのプレイリストでは、ダイジェストシーンがその時系列順に配列されていることを特徴としたダイジェスト作成装置。
【請求項４】
請求項２に記載のダイジェスト作成装置であって、
ダイジェストシーンのプレイリストでは、ダイジェストシーンが前記シーンの重要度の高い順に配列されていることを特徴としたダイジェスト作成装置。
【請求項５】
請求項２に記載のダイジェスト作成装置であって、
ダイジェストシーンのプレイリストでは、番組の時系列順であって、かつ各番組毎に、ダイジェストシーンが前記シーンの重要度の高い順に配列されていることを特徴としたダイジェスト作成装置。
【請求項６】
請求項２に記載のダイジェスト作成装置であって、
ダイジェストシーンのプレイリストでは、ダイジェストシーンの前記シーンの重要度の合計の高い番組順で、かつ各番組毎に、ダイジェストシーンの前記シーンの重要度が高い順に配列されていることを特徴としたダイジェスト作成装置。
【請求項７】
請求項１に記載のダイジェスト作成装置であって、
前記シーン抽出部における前記シーンの重要度の計算は、ファイルシステム上で存在しないが、実際には存在しているファイルのコンテンツに含まれる属性情報に対して前記シーンの重要度を高くすることを特徴としたダイジェスト作成装置。
【請求項８】
請求項１に記載のダイジェスト作成装置であって、
前記シーン抽出部における前記シーンの重要度の計算は、同一コンテンツの編集前後のファイルを利用して、編集で削除したシーンに含まれる属性情報に対して前記シーンの重要度を低くすることを特徴としたダイジェスト作成装置。
【請求項９】
番組のダイジェストを作成するダイジェスト作成方法であって、
番組に対する所定の属性情報を、メタ情報として、取得し、
キーワードを指定し、
取得した該属性情報に基づく所定のシーン選択基準に従って該番組をシーン毎に分割し、
分割した該シーン毎に指定された該キーワードに対するシーンの重要度を算出し、分割した該シーンのうちの該シーンの重要度が高いシーンを、ダイジェストシーンとして、抽出し、
抽出した該ダイジェストシーンのプレイリストを指定された該キーワードと関連付けて登録する
ことを特徴としたダイジェスト作成方法。
【請求項１０】
請求項９に記載のダイジェスト作成方法であって、
前記ダイジェストシーンのプレイリストに、複数の番組のダイジェストシーンを登録することを特徴としたダイジェスト作成方法。
【請求項１１】
請求項１０に記載のダイジェスト作成方法であって、
前記プレイリストにダイジェストシーンを時系列順に配列したことを特徴としたダイジェスト作成方法。
【請求項１２】
請求項１０に記載のダイジェスト作成方法であって、
前記プレイリストにダイジェストシーンをシーンの重要度の高い順に配列することを特徴としたダイジェスト作成方法。
【請求項１３】
請求項１０に記載のダイジェスト作成方法であって、
前記プレイリストで、番組を時系列順とし、前記番組毎にダイジェストシーンをシーンの重要度の高い順に配列することを特徴としたダイジェスト作成方法。
【請求項１４】
請求項１０に記載のダイジェスト作成方法であって、
前記プレイリストで、前記番組を前記番組内の前記ダイジェストシーンのシーンの重要度の合計の高い順とし、前記番組毎にダイジェストシーンをシーンの重要度の高い順に配列することを特徴としたダイジェスト作成方法。
【請求項１５】
請求項９に記載のダイジェスト作成方法であって、
前記シーンの重要度の計算は、ファイルシステム上にはファイルが無いが、実際には存在しているファイルのコンテンツに含まれる属性情報に対してシーンの重要度を高めることを特徴としたダイジェスト作成方法。
【請求項１６】
請求項９に記載のダイジェスト作成方法であって、
前記シーンの重要度の計算は、同一コンテンツの編集前後のファイルを利用して、編集で削除したシーンに含まれる属性情報に対して前記シーンの重要度を低くすることを特徴としたダイジェスト作成方法。
【発明の詳細な説明】
【技術分野】
【０００１】
本発明は、番組のダイジェストを作成するダイジェスト作成装置及びダイジェスト作成方法に係り、特に、複数番組のダイジェストを作成するダイジェスト作成装置及びダイジェスト作成方法に関する。
【背景技術】
【０００２】
近年、ＨＤＤ（ハードディスクドライブ）や光ディスクの大容量化により、録画できる番組の数が増加している。また、ユーザがキーワードを指定・入力することにより、ＥＰＧ（電子番組表）内にそのキーワードを属性情報として含む番組（以下、キーワードを含む番組という）を自動的に録画する技術も知られている。このため、ユーザは見たい番組の番組名或いは見たい俳優の名前などをキーワード登録して、このキーワードを含む番組を自動的に録画し、後日このようにして録画した番組を視聴するというライフスタイルが今後普及していくだろうが、録画番組を見られる時間は有限なため、これをダイジェスト視聴したいといった要求が生まれる。
【０００３】
この要求に対する従来技術としては、放送中または録画した番組から、その一部のシーンだけをまとめたダイジェストを作成するダイジェスト作成装置及びダイジェスト作成方法であって、番組の一連のストリーム情報を形成する複数のシーン各々に対する所定の属性情報を入力し、その属性情報に基づく所定のシーン選択基準に従って、このストリーム情報を形成する複数のシーンのうちからダイジェスト作成に用いるシーン（以下、かかるシーンをダイジェストシーンという）を選択することでダイジェストを作成している技術が知られている（例えば、特許文献１参照）。
【特許文献１】特開平１１−２３８０７１号公報
【発明の開示】
【発明が解決しようとする課題】
【０００４】
ところで、上記特許文献１に記載の従来技術では、単一の番組に対してはダイジェストを作成することができるが、即ち、１つの番組毎にダイジェストを作成することができるが、複数の番組をまとめて１つのダイジェストを作成することは考慮されていない。
【０００５】
一方、同じキーワードで自動的に録画された番組については、シーンという一定の期間を区切りとして、複数の番組を１つのダイジェストとして見たいという機能が望まれる。
【０００６】
本発明は、かかる点に鑑みてなされたものであって、単一番組ばかりでなく、一定の期間を区切りとして、複数番組のダイジェストの作成を可能としたダイジェスト作成装置及びダイジェスト作成方法を提供することにある。
【課題を解決するための手段】
【０００７】
上記目的を達成するために、本発明は、番組のダイジェストを作成するダイジェスト作成装置であって、番組に対する所定の属性情報を取得するメタ情報取得部と、属性情報に基づく所定のシーン選択基準に従って該番組のコンテンツをシーンに分割するシーン分割部と、キーワードを指定するキーワード入力部と、該シーン分割部で分割されたシーン毎に、指定された該キーワードに対するシーンの重要度を求め、該シーンの重要度が高い該シーンをダイジェストシーンとして抽出するシーン抽出部と、抽出されたダイジェストシーンのプレイリストを指定された該キーワードに関連付けて登録するプレイリスト登録部とを有するものである。
【０００８】
また、本発明は、前記プレイリスト登録部で、同じキーワードに関連して複数の番組のダイジェストシーンのプレイリストを登録するものである。
【０００９】
また、本発明は、ダイジェストシーンのプレイリストでは、ダイジェストシーンがその時系列順に配列されているものである。
【００１０】
また、本発明は、ダイジェストシーンのプレイリストでは、ダイジェストシーンが前記シーンの重要度の高い順に配列されているものである。
【００１１】
また、本発明は、ダイジェストシーンのプレイリストでは、番組の時系列順であって、かつ各番組毎に、ダイジェストシーンが前記シーンの重要度の高い順に配列されているものである。
【００１２】
また、本発明は、ダイジェストシーンのプレイリストでは、ダイジェストシーンの前記シーンの重要度の合計の高い番組順で、かつ各番組毎に、ダイジェストシーンの前記シーンの重要度が高い順に配列されているものである。
【００１３】
また、本発明は、前記シーン抽出部における前記シーンの重要度の計算は、ファイルシステム上で存在しないが、実際には存在しているファイルのコンテンツに含まれる属性情報に対して前記シーンの重要度を高くするものである。
【００１４】
また、本発明は、前記シーン抽出部における前記シーンの重要度の計算は、同一コンテンツの編集前後のファイルを利用して、編集で削除したシーンに含まれる属性情報に対して前記シーンの重要度を低くするものである。
【００１５】
上記目的を達成するために、本発明は、番組のダイジェストを作成するダイジェスト作成方法であって、番組に対する所定の属性情報を、メタ情報として、取得し、キーワードを指定し、取得した該属性情報に基づく所定のシーン選択基準に従って該番組をシーン毎に分割し、分割した該シーン毎に指定された該キーワードに対するシーンの重要度を算出し、分割した該シーンのうちの該シーンの重要度が高いシーンを、ダイジェストシーンとして、抽出し、抽出した該ダイジェストシーンのプレイリストを指定された該キーワードと関連付けて登録するものである。
【００１６】
また、本発明は、前記ダイジェストシーンのプレイリストに、複数の番組のダイジェストシーンを登録するものである。
【００１７】
また、本発明は、前記プレイリストにダイジェストシーンを時系列順に配列したものである。
【００１８】
また、本発明は、前記プレイリストにダイジェストシーンをシーンの重要度の高い順に配列するものである。
【００１９】
また、本発明は、前記プレイリストで、番組を時系列順とし、前記番組毎にダイジェストシーンをシーンの重要度の高い順に配列するものである。
【００２０】
また、本発明は、前記プレイリストで、前記番組を前記番組内の前記ダイジェストシーンのシーンの重要度の合計の高い順とし、前記番組毎にダイジェストシーンをシーンの重要度の高い順に配列するものである。
【００２１】
また、本発明は、前記シーンの重要度の計算は、ファイルシステム上にはファイルが無いが、実際には存在しているファイルのコンテンツに含まれる属性情報に対してシーンの重要度を高めるものである。
【００２２】
また、本発明は、前記シーンの重要度の計算は、同一コンテンツの編集前後のファイルを利用して、編集で削除したシーンに含まれる属性情報に対してシーンの重要度を低くするものである。
【発明の効果】
【００２３】
本発明によると、単一の番組だけでなく、複数の番組に対するダイジェストを所望のキーワードに関連させて作成することができ、ユーザは１つのキーワードを指定するだけで、このキーワードに関連した複数の番組を１つのダイジェストとして視聴することができるようになる。
【００２４】
また、本発明によると、一定期間に対してダイジェストシーンのプレイリストを作成することにより、一定期間のダイジェストを、しかも、キーワードを指定することにより、このキーワードに関連するこの一定期間内の１以上の番組が１つのダイジェストとして視聴することができる。
【発明を実施するための最良の形態】
【００２５】
以下、本発明の実施形態を図面により説明する。
【００２６】
図１は本発明によるダイジェスト作成装置及びダイジェスト作成方法の第１の実施形態を示すブロック図であって、１０１はコンテンツ蓄積部、１０２は映像コンテンツ入力部、１０３はシーン分割部、１０４はキーワード入力部、１０５はメタ情報取得部、１０６はシーン抽出部、１０７はプレイリスト登録部、１０８は受信部、１０９はインターネット、１１０は制御部である。
【００２７】
同図において、コンテンツ蓄積部１０１は、ハードディスクやフラッシュメモリなどが用いられ、受信部１０８で受信された放送番組やインターネット１０９からの受信された番組など（これらの番組を総称して、以下、番組という）のコンテンツを録画・蓄積する。また、受信された番組はメタ情報取得部１０５にも供給され、この番組のコンテンツに付加された番組の属性情報、例えば、このコンテンツのシーン区切りを示す情報（即ち、番組ＩＤ（識別番号）とシーンＩＤなどによる所定のシーン選択基準）や各シーンでのキーワード・キーワードに対するシーンの重要度など、シーンの特徴を表わす文字列などであるメタ情報を取得として保持する。視聴番組や録画予約番組は、これが受信されると、そのコンテンツがコンテンツ蓄積部１０１に蓄積され、また、メタ情報取得部１０５でそのコンテンツからそのメタ情報が抽出されて保存される。
【００２８】
受信部１０８で受信される番組やインターネット１０９からの番組のコンテンツは、また、映像コンテンツ入力部１０２から入力され、あるいはまた、コンテンツ蓄積部１０１に蓄積された番組のコンテンツは、ユーザの指示操作により、映像コンテンツ入力部１０２から入力され、ダイジェストのプレイリストを作成するための処理が行なわれる。
【００２９】
即ち、映像コンテンツ入力部１０２から入力されたかかる番組のコンテンツはシーン分割部１０３に供給され、この番組のコンテンツの一連のストリームが複数のシーンに分割される。番組のコンテンツは、メタ情報取得部１０５で取得したメタ情報のうちの所定のシーン選択基準を基に各シーンに区分されているものであって、シーン分割部１０３は、かかる所定のシーン選択基準に基づいて、番組のコンテンツを各シーンに分割する。分割されたシーンは、順次シーン抽出部１０６に供給される。
【００３０】
また、受信された番組、あるいは、コンテンツ蓄積部１０１に蓄積されている番組のダイジェストのプレイリストを作成する場合には、キーワード入力部１０４からユーザが関心のあるキーワードが入力されてシーン抽出部１０６に供給される。かかるキーワードは、番組名や番組の出演者名などであって、番組を視聴受信する際や録画予約の際にユーザが直接指定するようにしてもよいし、ユーザの操作履歴や視聴履歴から学習によって抽出したユーザの嗜好性を表わすキーワードが、番組を視聴受信する際や録画予約の際に、自動的に入力されるようにしてもよい。
【００３１】
シーン抽出部１０６では、シーン分割部１０３から分割されたシーンが供給されると、キーワード入力部１０４からのキーワードとメタ情報取得部１０５で取得したメタ情報のこのキーワードに対するシーンの重要度を基に、この分割されたシーンのダイジェストに必要なシーン（以下、ダイジェストシーンという）としての重要度（以下、シーンの重要度という）が検出され、シーンの重要度の高いシーンがダイジェストシーンとして抽出される。そして、抽出されたダイジェストシーンに対しては、メタ情報取得部１０５のメタ情報からこのダイジェストシーンに対する番組ＩＤやシーンＩＤを取得し、これらをこの番組のコンテンツでのこのダイジェストシーンを指定する情報（以下、ダイジェストシーン指定情報という）として、プレイリスト登録部１０７に設定されているこの指定されたキーワードに対するプレイリストに登録する。
【００３２】
このように、プレイリスト登録部１０７では、キーワードに対してプレイリストが設定されており、番組のダイジェストを作成する場合には、このとき指定されたキーワードに対するプレイリストにこの番組のダイジェストシーンのダイジェストシーン指定情報が登録されるのであるが、ここで、設定されただけのダイジェストシーン指定情報が全く登録されていないプレイリストを、以下、未登録プレイリストといい、プレイリストの番組のダイジェストシーン指定情報が登録されている部分を、以下、この番組の登録プレイリストという。また、いずれの場合も含むものであるときには、単に、プレイリストという。
【００３３】
そして、プレイリスト登録部１０７で新たにキーワードに対するプレイリスト（未登録プレイリスト）を設定することを、以下、プレイリストの作成といい、後述するように、プレイリスト登録部１０７でキーワードが設定登録されることにより、このキーワードに対するプレイリストが設定されることになる（このように、プレイリストに関連して登録されたキーワードを、以下、登録キーワードという）。また、未登録プレイリストに番組のダイジェストシーン指定情報を登録してこの番組の登録プレイリストを作成すること、あるいは、後述するように、既に他の番組の登録プレイリストが登録されているプレイリストにその登録キーワードと同じキーワードが指定された新たな番組の登録プレイリストを追加登録することを、以下、ダイジェストの作成という。番組の登録プレイリストを登録することは、後述のように、この番組のダイジェストを作成することに他ならない。
【００３４】
そこで、新たな番組のダイジェストを作成するに際し、この新たな番組に対して指定されたキーワードと同じ登録キーワードと対応付けられて登録プレイリスト（他の番組の登録プレイリスト）がプレイリスト登録部１０７に設定されている場合には、この新たな番組の登録プレイリストが、この登録キーワードに対応付けられた既に登録されている登録プレイリストに追加して、登録されることになる。このため、複数の番組のダイジェスト作成を行なうと、かかる番組に対して指定されたキーワードが同じである場合、プレイリスト登録部１０７では、この指定されたキーワードと同じ登録キーワードに対応付けられてこれら複数の番組の登録プレイリストがまとめて登録されることになる。従って、１つの登録キーワードに対して、１〜複数の番組の登録プレイリストが関連付けられて登録されたプレイリストが形成されていることになる。
【００３５】
プレイリスト登録部１０７に、新たな番組に対して指定されたキーワードと同じ登録キーワードが存在しない場合には、この新たに指定されたキーワードがこの新たな番組の登録プレイリストと関連付けられて登録され、新たなプレイリストの登録キーワードとなる。
【００３６】
なお、以下では、上記のように、受信部１０８で受信された番組やインターネット１０９からの番組などのコンテンツにメタ情報が付加されており、また、コンテンツ蓄積部１０１に蓄積されているコンテンツにも、メタ情報が付加されており、ダイジェストの作成時には、これをメタ情報取得部１０５で取得してシーン分割部１０３でのシーン分割やシーン抽出部１０６でのダイジェストシーンの抽出・プレイリストの作成などに用いられるものとするが、必ずしもこれに限るものではなく、受信とともに、メタ情報を番組提供側やインターネットから取得するようにしてもよいし、メタ情報を取得することができない場合には、番組のコンテンツの内容からシーンの区切り（切り替わり）を判定し、これによってダイジェクトのプレイリストを作成するようにしてもよい。
【００３７】
例えば、シーン分割部１０３でのこの場合のシーン選択基準としては、映像信号や音声信号の平均信号レベルの急変などをシーンの切り替わりとして、この時点をシーンの分割点としてもよい。シーン分割部１０３は、分割したシーン毎にそのシーンを指定する情報（例えば、番組ＩＤやシーンＩＤからなり、以下、シーン指定情報という）を作成し、分割したシーンとともに、シーン抽出部１０６に供給する。また、シーン分割部１０３は、かかる指定情報をコンテンツ蓄積部１０１に記録される番組のコンテンツやコンテンツ蓄積部１０１から読み出される番組のコンテンツに関連付けてコンテンツ蓄積部１０１に保存する。この場合、分割したシーン毎にそのキーワードを検出し、指定されたキーワードを基にダイジェストシーンとしてのシーンの重要度を計算する。
【００３８】
これにより、番組のコンテンツに予め上記のメタ情報が付加されているものであっても、また、シーン毎にこのシーン指定情報を作成するものであっても、コンテンツ蓄積部１０１に蓄積されている番組のコンテンツのシーンのうちのダイジェストシーンは、かかるシーン指定情報により、プレイリスト登録部１０７に登録されているこの番組の登録ブレイリストのダイジェストシーン指定情報と対応付けられていることになる。
【００３９】
そこで、ユーザが所望のキーワードを持つ番組のダイジェストを視聴したい場合、このキーワードを図示しない手段で指定し、このダイジェストの再生を指示操作すると、プレイリスト登録部１０７からこの指定されたキーワードの登録プレイリストでのダイジェストシーン指定情報が読み出され、このダイジェストシーン指定情報と一致するシーン指定情報のシーン、即ち、ダイジェストシーンがコンテンツ蓄積部１０１から再生される。再生されたダイジェストシーンは図示しない処理によって所定の処理がなされ、図示しない表示部でダイジェストとして表示される。この場合、コンテンツ蓄積部１０１では、ダイジェストシーンが高速に再生され、これらが連続にされるとともに、通常の速度に変換されて表示されることになる。指定された登録キーワードに複数の番組の登録プレイリストが展開されているときには、これら複数の番組のダイジェストが続けて再生・表示されることになる。
【００４０】
なお、作成された登録プレイリストには、所定の有効期間（例えば、１週間など）が、ユーザの指定などにより、設定されており、この期間を越えた登録プレイリストは、そのキーワードとともに、無効とされる。無効とされた登録プレイリストに対するキーワードと同じキーワードで番組のダイシェストを作成する場合には、再度このキーワードに対してプレイリストの作成が行なわれる。これは、この有効期限を越えた登録プレイリストについては、既に一度ダイジェストが視聴されたものと考えられるものであって、ダイジェストは何回も視聴されるものではないからである。また、このような有効期限を越えたダイジェストの登録プレイリストにこれと同じキーワードの新たな番組のプレイリストを連続させると、この登録キーワードに対する番組のダイジェストを視聴する場合、有効期限切れの視聴者にとっては不必要な番組のダイジェストも再生されることになり、無駄な再生が行なわれるものであって、新たにキーワードを設定登録して番組の登録プレイリストを登録することにより、これを解消するためでもある。
【００４１】
なお、以上の各部の動作は、制御部１１０によって制御される。
【００４２】
図２は図１におけるプレイリスト登録部１０７に登録されるダイジェストのプレイリストの一具体例を示す図であって、２０１，２０２は番組のコンテンツ、２０３はダイジェストのプレイリスト、２３ａ，２３Ｂは番組毎のダイジェストのプレイリストである。
【００４３】
同図において、いま、２つの番組２０１，２０２を対象として、番組２０１が先に受信されてコンテンツ蓄積部１０１（図１）に蓄積され、その後、番組２０２が受信されてコンテンツ蓄積部１０１に蓄積されたものとする。また、番組２０１はシーン１，２，……，６からなり、この番組２０１に“Ａ”のコンテンツＩＤが、これらシーン１，２，……，６に夫々“１”，“２”，“３”，……，“６”のシーンＩＤが夫々割り当てられているものとする。番組２０２はシーン１，２，……，５からなり、この番組２０２に“Ｂ”のコンテンツＩＤが、これらシーン１，２，……，５に夫々“１”，“２”，……，“５”のシーンＩＤが夫々割り当てられているものとする。コンテンツＩＤは、装置内でユニークなものであれば、どのように付けてもよい。
【００４４】
いま、番組２０１が受信され、そのコンテンツがシーン分割部１０３（図１）でシーン１，２，……，６毎に分割され、シーン抽出部１０６（図１）により、キーワード入力部１０４で指定されたキーワードＫを基に、シーン２，４，６がシーンの重要度が高いダイジェストシーンとして抽出されると、このダイジェストシーン２のダイジェストシーン指示情報（以下、ポインタという）を「Ａ−２」とし、シーン４のポインタを「Ａ−４」とし、シーン６のポインタを「Ａ−６」として、これらポインタ「Ａ−２」，「Ａ−４」，「Ａ−６」がそれらのシーン２，４，６の順序（受信順）に対応する順序で配列された番組２０１のダイジェストのプレイリスト２０３Ａが作成され、キーワードＫと関連付けられてプレイリスト２０３に登録される。このときのプレイリスト２０３がこの時点での登録キーワードＫに対するダイジェストのプレイリストである。
【００４５】
その後、上記と同じキーワードＫがキーワード入力部１０４で指定されて番組２０２が受信されると、番組２０１と同様、そのコンテンツがシーン分割部１０３でシーン１，２，……，５毎に分割され、シーン抽出部１０６により、キーワード入力部１０４で指定されたキーワードＫを基に、シーン３，５がシーンの重要度が高いダイジェストシーンとして抽出されると、このシーン３のポインタを「Ｂ−３」とし、シーン５のポインタを「Ｂ−５」として、これらポインタ「Ｂ−３」，「Ｂ−５」がそれらのシーン３，５の順序（受信順）に対応する順序付けられ、登録キーワードに対するプレイリスト２０３に、番組２０１のダイジェストのプレイリスト２０３Ａに追加して登録される。追加されたポインタ「Ｂ−３」，「Ｂ−５」のリストが番組２０２のダイジェストのプレイリスト２０３Ｂであり、これらプレイリスト２０３Ａ，２０３Ｂが１つになって登録キーワードＫに対するダイジェストのプレイリスト２０３が形成されたことになる。
【００４６】
このように、同じキーワードが指定された異なる番組のダイジェストが１つにまとまり、このキーワードに対するダイジェストのプレイリストが得られることになる。
【００４７】
そこで、かかるダイジェストのプレイリストを用いて得られるダイジェストを表示する場合には、１つのキーワードを指定するという操作でもって異なる番組のダイジェストがまとめて視聴することが可能となる。即ち、ダイジェストシーンのポインタを該当するキーワードに関連させて登録することにより、かかるダイジェストシーンからなる１つのダイジェストが１つのキーワードに関連して作成されることになる。そして、かかるダイジェストは、コンテンツ蓄積部１０１に蓄積（録画）された番組のコンテンツを用いて表示するものであるから、容量の小さなポインタからなる登録プレイリストを登録できる記憶手段が追加されるだけであって、ダイジェスト用のコンテンツを改めて蓄積する必要がなく、コンテンツ蓄積部１０１を効率良く利用することができるものであり、メモリサイズの節約になる。
【００４８】
図３は図１に示す実施形態のダイジェスト作成のための処理手順の一具体例の全体を概略的に示すフローチャートである。
【００４９】
同図において、番組を録画終了する、或いは放送やインターネットから番組を受信する、或いはリモコンなどからユーザの指示があると、指定されたキーワードをプレイリスト登録部１０７に登録してダイジェストのプレイリストを作成可能とする、あるいは、指定されたキーワードと同じ登録キーワードに対するダイジェストのプレイリストが使用可能であるならば、それを確認する処理、即ち、プレイリストの作成処理を行ない（ステップＳ３０１）、その後、登録キーワードに関連してボインタを登録し、この登録キーワードに関連したダイジェストのプレイリストを作成するダイダイジェストの作成処理を行なう（ステップＳ３０２）。
【００５０】
図４は図３におけるプレイリストの作成処理（ステップＳ３０１）の処理手順の一具体例を示すフローチャートである。
【００５１】
同図において、まず、どれくらいの期間の番組に対してのダイジェストを作成するか、その期間をユーザが指定する（ステップＳ４０１）。ユーザのかかる指定は、ＧＵＩ（グラフィック・ユーザ・インタフェース）などを用いてもよいし、専用のリモコンのボタン操作で指定してもよい。なお、ユーザからの指定がない場合には、例えば、１週間などといったデフォルト値を用いる。
【００５２】
そして、キーワード入力部１０４からキーワードが入力されるが（ステップＳ４０２）、制御部１１０は、入力されたこのキーワードと同じキーワード（登録キーワード）に対するダイジェストのプレイリストが存在するか否かを判定し（ステップＳ４０３）、かかるプレイリストが存在する場合には、このプレイリストの作成日付を取得する（ステップＳ４０４）。このプレイリストの作成日とは、登録キーワードがあるだけで、これに対するダイジェストのプレイリストが無い場合には、この登録キーワードが登録された日であり、登録キーワードに対するダイジェストのプレイリストである場合には、最後に作成されて登録された番組のプレイリストの作成日とする。かかる作成日は、関連する登録キーワードと関連付けて、プレイリスト登録部１０７や制御部１１０（図１）などのメモリに保存されている。
【００５３】
次に、現在の日付を取得し（ステップＳ４０５）、プレイリストの作成日付から現在の日付までの期間が指定期間（ステップＳ４０１）を超えたか否かを判定する（ステップＳ４０６）。プレイリストの作成日からの期間がこの指定期間を超えていない場合には（ステップＳ４０６の“Ｎｏ”）、この入力されたキーワードと同じ登録キーワードをそのまま有効として、プレイリストの作成処理（図３のステップＳ３０１）を終了し、ダイジェスト作成処理（図３のステップ３０２）に進む。プレイリストの作成日からの期間がこの指定期間を超えている場合には（ステップＳ４０６の“Ｙｅｓ”）、この登録キーワード及びこれに関連したダイジェストのプレイリストを無効とし、この入力されたキーワードを新規のキーワードとしてプレイリスト登録部１０７に登録し、これに新たに作成するダイジェストのプレイリストを関連付けて登録することを可能とする（ステップＳ４０７）。そして、このプレイリスト作成処理（図３のステップＳ３０１）を終了し、ダイジェスト作成処理（図３のステップ３０２）に進む。
【００５４】
また、入力されたキーワードと同じ登録キーワードが存在しない場合でも（ステップＳ４０３の“Ｎｏ”）、入力されたキーワードを新規の登録キーワードとしてプレイリスト登録部１０７に登録し、これに新たに番組のダイジェストのプレイリストを関連付けて登録することを可能とする（ステップＳ４０７）。そして、このプレイリスト作成処理（図３のステップＳ３０１）を終了する。ダイジェスト作成処理（図３のステップ３０２）に進む。
【００５５】
図５は図４に示すプレイリストの作成処理（図３のステップＳ３０１）に続くダイジェスト作成処理（図３のステップＳ３０２）の一具体例を示すフローチャートであって、コンテンツをシーン分割してダイジェストシーンを抽出し、これに基づいてプレイリスト登録部１０７でダイジェストのプレイリストを作成する処理手順を示すものである。この場合には、このダイジェストを登録する番組に対して指定されたキーワードと同じ登録キーワードが、図４で説明した上記のプレイリスト作成処理により、プレイリスト登録部１０７に設定登録されている。
【００５６】
同図において、映像コンテンツ入力部１０２で入力したコンテンツに対し、シーン分割部１０３により、所定のシーン選択基準に基づいてシーン分割する（ステップＳ５０１）。このシーン分割には、上記のように、映像に付随する各種情報（音声や各種信号）を用いた従来の手法により分割してもよいし、このコンテンツのシーン分割に関するメタ情報がある場合には、メタ情報取得部１０５でそのシーン分割情報（所定のシーン選択基準）を取得して、そのシーン分割情報によりシーンを分割してもよい。このメタ情報は番組提供者が予め用意したものでもよいし、他のシーン分割手段で既に得られたものであってもよい。
【００５７】
次に、キーワード入力部１０４からキーワードを入力する（ステップＳ５０２）。そして、シーン抽出部１０６において、分割されたシーンの順番を示すシーンＩＤを表わす変数ｉがｉ＝１にセットされ（ステップＳ５０３）、１番目のシーンから順に、次のダイジェクト作成のためのダイジェストシーンの抽出処理が行なわれる。
【００５８】
即ち、ｉ番目のシーンについてみると（但し、ｉ＝１，２，３，……）、このｉ番目のシーンに対して、キーワード入力部１０４から入力されたキーワードに対するシーンの重要度を求め、このｉ番目のシーンをダイジェストシーンとすべきか否かを判定する（ステップＳ５０３）。なお、シーンの重要度は、そのシーンに対するメタ情報（シーンの特徴を表わす文字列など）からキーワードに合致するものが多ければ高くなるという方法もあるし、合致しなくても、相関を取って、相関が高ければ、シーンの重要度を高くする方法もある。また、番組提供者が予めシーンの重要度を提供していてもよい。この場合には、メタ情報取得部１０５より、シーンの重要度を取得する。
【００５９】
ｉ番目のシーンにおける指定されたキーワードに対するシーンの重要度が一定値より高い場合（ステップＳ５０３の“Ｙｅｓ”）、このシーンをダイジェストシーンとして、そのシーンＩＤとコンテンツＩＤを、このｉ番目のシーンのポインタとして、この入力されたキーワードと同じ登録キーワードに関連付けて登録する（ステップＳ５０４）。そして、シーンＩＤを表わす変数ｉをｉ＝ｉ＋１と１インクリメントし、次のシーンを処理対象に指定する（ステップＳ５０５）。なお、この登録キーワードは、先の図４で示すプレイリストの作成処理（図３のステップＳ３０１）によって既に登録されている。
【００６０】
また、ｉ番目のシーンの重要度が一定値より低い場合には（ステップＳ５０３の“Ｎｏ”）、このシーンはダイジェストシーンとはせず、シーンＩＤを表わす変数ｉをｉ＝ｉ＋１と１インクリメントし、次のシーンを処理対象に指定する（ステップＳ５０５）。
【００６１】
このようにして、番組のコンテンツを分割して得られるシーンの全てに対して、その分割順にかかる処理がなされ（ステップＳ５０６の“Ｙｅｓ”）、シーンの重要度が一定値よりも高いシーンは、ダイジェストシーンとして、そのポインタが該当する登録キーワードに関連付けて登録され、シーンの重要度が一定値よりも低いシーンはダイジェストシーンとはしない。そして、番組のコンテンツを分割して得られるシーンの全てについてのかかる処理が終了し、シーンＩＤの変数ｉがかかるシーンの個数を越えると（ステップＳ５０６の“Ｎｏ”）、この番組に対するダイジェスト作成処理が終了し、プレイリスト登録部１０７には、この登録キーワードに対する番組のダイジェストのプレイリストが得られた状態となる。
【００６２】
ここで、キーワード入力部１０４からこのとき入力されたキーワードと同じ登録キーワードに既に他の番組のダイジェストのプレイリストが関連付けられて登録されている場合には、図２に示したように、新たに作成された番組の登録プレイリストは、この他の番組のダイジェストのプレイリストに続けて追加登録され、これらの番組を１つにまとめたダイジェストのプレイリストが得られることになる。
【００６３】
このように、この実施形態では、１つの登録キーワードに対し、単一の番組だけでなく、複数の番組を対応付けて１つのダイジェストのプレイリストとすることができる。このため、同じキーワードを含む自動録画された番組が複数あった場合、このキーワードに対してこれら複数の番組が関連付けられて１つのダイシェストが得られることになり、ユーザが１つのキーワードを指定することにより、かかるキーワードに関して登録プレイリストが登録されているこれら複数の番組のダイジェストを視聴することができる。即ち、１つのキーワードに対して、複数の番組が関連付けられて１つのダイジェストが形成されることになる。
【００６４】
また、一定期間を指定して番組のプレイリストを作成することにより、この一定期間のダイジェストを視聴することができる。例えば、この指定する一定期間を１週間とし、キーワードを“ラーメン"とした場合には、１週間分の“ラーメン"に関する複数の番組夫々に対してダイジェストが作成されることになり、ユーザは、キーワード“ラーメン”を指定するだけで、これら１週間分の“ラーメン"に関する番組の全てのダイジェストを視聴することができる。
【００６５】
図６は本発明によるダイジェスト作成装置及びダイジェスト作成方法の第２の実施形態におけるダイジェストのプレイリストの一具体例を示す図であって、６０１，６０２は番組のコンテンツ、６０３はプレイリストである。
【００６６】
この第２の実施形態での装置構成は図１と同様であるが、プレイリスト登録部１０７では、図示しないが、プレイリストの処理手段も備えている。
【００６７】
この第２の実施形態では、ダイジェスト作成処理される同じキーワードに関連する番組について、これら全ての番組のダイジェストシーンがそのシーンの重要度の高い順に配列されるように、ダイジェストのプレイリストが形成されたものである。
【００６８】
図６において、いま、コンテンツＩＤが“Ａ”の番組６０１のダイジェスト作成処理がなされ、次に、コンテンツＩＤが“Ｂ”の番組６０２のダイジェスト作成処理がなされるものとする。
【００６９】
まず、番組６０１のダイジェスト作成処理において、この番組６０１のコンテンツはシーン１〜５からなり、シーン分割部１０３でこのコンテンツがかかるシーン１〜５に分割されて、シーン抽出部１０６（図１）で指定されたキーワードに関して各シーン毎にシーンの重要度が算出される。ここで、シーン１のシーンの重要度が「１」、シーン２のシーンの重要度が「５」、シーン３のシーンの重要度が「１」、シーン４のシーンの重要度を「８」、シーン５のシーンの重要度を「７」とし、シーンの重要度が「５」以上のシーンをダイジェストシーンとするものとすると、シーン抽出部１０６は、シーン２，４をダイジェストシーンとし、これらダイジェストシーン２，４のダイジェストシーン指定情報であるポインタ「Ａ−２」，「Ａ−４」を、それらのシーンの重要度とともに、プレイリスト登録部１０７（図１）に供給する。プレイリスト登録部１０７では、その処理手段により、そのシーンの重要度をもとに、それが大きい順にダイジェストシーンが配列されるようにする処理がなされ、これにより、ダイジェストシーン４のポインタ「Ａ−４」，ダイジェストシーン２のポインタ「Ａ−２」の順で該当する登録キーワードに関連付けられて登録される。これにより、この番組６０１に対するダイジェストのプレイリストが、上記の指定されたキーワードと同じ登録キーワードと関連付けられて形成される。
【００７０】
次に、番組６０２のダイジェスト作成処理において、この番組６０２のコンテンツはシーン１〜５からなり、シーン分割部１０３でこのコンテンツがかかるシーン１〜５に分割され、シーン抽出部１０６（図１）で各シーン毎にシーンの重要度が算出される。ここで、シーン１のシーンの重要度が「２」、シーン２のシーンの重要度が「１」、シーン３のシーンの重要度が「１０」、シーン４のシーンの重要度が「３」、シーン５のシーンの重要度を「７」とすると、シーン抽出部１０６は、シーン３，５をダイジェストシーンとし、これらダイジェストシーン３，５のダイジェストシーン指定情報であるポインタ「Ｂ−３」，「Ｂ−５」とこれらのシーンの重要度とをプレイリスト登録部１０７に供給する。プレイリスト登録部１０７では、これらポインタ「Ｂ−３」，「Ｂ−５」とこれらのシーンの重要度とが供給されると、処理手段により、これらポインタの順序がそのシーンの重要度の大きい順となるように設定され、既に登録されている番組６０１のダイジェストのプレイリストに追加して、登録される。
【００７１】
これにより、この該当する登録キーワードに関連付けられて、ポインタ「Ｂ−３」，「Ａ−４」，「Ｂ−５」，「Ａ−２」の順で登録されている、番組６０１，６０２を一纏めにしたダイジェストのプレイリスト６０３が得られることになる。
【００７２】
このように登録されたダイジェストのプレイリストによって視聴されるダイジェストは、このポインタの配列と同様、番組６０２のシーン３，番組６０１のシーン４，番組６０２のシーン５，番組６０１のシーン２の順で視聴されることになる。
【００７３】
このように、この第２の実施形態では、シーンの重要度の高いシーンの順にダイジェストを視聴することができ、ユーザはいち早くより見たいシーンを視聴することができる。
【００７４】
図７は本発明によるダイジェスト作成装置及びダイジェスト作成方法の第３の実施形態におけるダイジェストのプレイリストの一具体例を示す図であって、７０１，７０２は番組のコンテンツ、７０３はプレイリストである。
【００７５】
この第３の実施形態での装置構成は図１と同様であるが、プレイリスト登録部１０７では、図示しないが、プレイリストの処理手段も備えている。
【００７６】
この第３の実施形態では、ダイジェスト作成処理される同じキーワードに関連する番組について、ダイジェスト作成処理が早い番組順で、かつ番組毎にダイジェストシーンがそのシーンの重要度の高い順に配列されるように、かかるダイジェストシーンに対するポインタがプレイリストで配列されるようにしたものである。
【００７７】
図７において、いま、コンテンツＩＤが“Ａ”の番組７０１のダイジェスト作成処理がなされ、次に、コンテンツＩＤが“Ｂ”の番組７０２のダイジェスト作成処理がなされるものとする。
【００７８】
まず、番組７０１のダイジェスト作成処理において、この番組７０１のコンテンツはシーン１〜５からなり、シーン分割部１０３でこのコンテンツがシーン１〜５に分割され、シーン抽出部１０６（図１）で、指定されたキーワードに対し、各シーン毎にシーンの重要度が算出される。ここで、これらシーン１〜５のシーンの重要度は図６での番組６０１と同様とし、シーンの重要度が「５」以上のシーンをダイジェストシーンとするものとすると、シーン抽出部１０６は、図６に示す第２の実施形態と同様、シーン２，４をダイジェストシーンとし、これらダイジェストシーン２，４のポインタ「Ａ−２」，「Ａ−４」とこれらのシーンの重要度とをプレイリスト登録部１０７（図１）に供給する。プレイリスト登録部１０７では、その処理手段により、ダイジェストシーン４のポインタ「Ａ−４」，ダイジェストシーン２のポインタ「Ａ−２」の順で該当する登録キーワードに関連付けられて登録される。これにより、この番組６０１に対するダイジェストのプレイリストが、上記の指定されたキーワードと同じ登録キーワードと関連付けられて形成される。
【００７９】
次に、番組７０２のダイジェスト作成処理において、この番組７０２のコンテンツはシーン１〜５からなり、シーン分割部１０３でこのコンテンツがかかるシーン１〜５に分割され、シーン抽出部１０６で、指定された上記と同じキーワードに基づいて、各シーン毎にシーンの重要度が算出される。ここで、これらシーン１〜５のシーンの重要度は図６での番組６０２と同様であるものとすると、シーン抽出部１０６は、図６に示す第２の実施形態と同様、シーン３，５をダイジェストシーンとし、これらダイジェストシーン３，５のポインタ「Ｂ−３」，「Ｂ−５」とこれらのシーンの重要度とをプレイリスト登録部１０７に供給する。プレイリスト登録部１０７では、これらポインタ「Ｂ−３」，「Ｂ−５」とこれらのシーンの重要度とが供給されると、処理手段により、これらポインタ「Ｂ−３」，「Ｂ−５」の順序をそのシーンの重要度の大きい順となるように設定し、その順序で該当する登録キーワードに関連付けられた上記の番組７０１のダイジェストのプレイリストに追加して（続けて）登録する。
【００８０】
これにより、この該当する登録キーワードに関連するダイジェストのプレイリスト７０３では、ポインタ「Ａ−４」，「Ａ−２」，「Ｂ−３」，「Ｂ−５」の順で登録されることになる。なお、シーンの重要度が同じシーンがある場合には、処理順に配列する。
【００８１】
このように登録されたダイジェストのプレイリストによって視聴されるダイジェストは、このポインタの配列と同様、番組７０２のシーン３，番組７０１のシーン４，番組７０２のシーン５，番組７０１のシーン２の順で視聴できることになる。
【００８２】
このように、この第３の実施形態では、シーンの重要度の高いシーンの順にダイジェストを視聴することができ、ユーザは、混乱することなく、かついち早くより見たいシーンを視聴することができる。
【００８３】
図８は本発明によるダイジェスト作成装置及びダイジェスト作成方法の第４の実施形態におけるダイジェストのプレイリストの一具体例を示す図であって、８０１，８０２は番組のコンテンツ、８０３はプレイリストである。
【００８４】
この第４の実施形態での装置構成は図１と同様であるが、プレイリスト登録部１０８では、図示しないが、プレイリストの処理手段も備えている。
【００８５】
この第４の実施形態では、ダイジェスト作成処理される同じキーワードに関連する番組について、ダイジェストシーンのシーンの重要度の合計が大きい番組順で、かつ番組毎にダイジェストシーンがそのシーンの重要度の高い順に配列されるように、かかるダイジェストシーンに対するポインタがプレイリストで配列されるようにしたものである。
【００８６】
図８においても、コンテンツＩＤが“Ａ”の番組８０１のダイジェスト作成処理がなされ、次に、コンテンツＩＤが“Ｂ”の番組８０２のダイジェスト作成処理がなされるものとする。
【００８７】
まず、番組８０１のダイジェスト作成処理において、この番組８０１のコンテンツはシーン１〜５からなり、シーン分割部１０３でこのコンテンツがかかるシーン１〜５に分割され、シーン抽出部１０６（図１）で、指定されたキーワードに基づいて、各シーン毎にシーンの重要度が算出される。ここで、これらシーン１〜５のシーンの重要度は図６での番組６０１と同様とし、シーンの重要度が「５」以上のシーンをダイジェストシーンとするものとすると、シーン抽出部１０６は、図６に示す第２の実施形態と同様、シーン２，４をダイジェストシーンとし、これらダイジェストシーン２，４のポインタ「Ａ−２」，「Ａ−４」とこれらのシーンの重要度とをプレイリスト登録部１０７（図１）に供給する。プレイリスト登録部１０７では、その処理手段により、そのシーンの重要度をもとに、それが大きい順にダイジェストシーンが配列されるようにする処理がなされ、これにより、ダイジェストシーン４のポインタ「Ａ−４」，ダイジェストシーン２のポインタ「Ａ−２」の順でこれらポインタが該当する登録キーワードに関連付けられて登録される。これにより、この番組８０１に対するダイジェストのプレイリストが、上記の指定されたキーワードと同じ登録キーワードと関連付けられて形成される。また、処理手段は、この番組８０１のダイジェストシーン２，４のシーンの重要度の合計（ここでは、５＋８＝１３）を算出して保持する。
【００８８】
次に、番組８０２のダイジェスト作成処理において、この番組８０２のコンテンツはシーン１〜５からなり、シーン分割部１０３でこのコンテンツがかかるシーン１〜５に分割され、シーン抽出部１０６（図１）で、指定された上記と同じキーワードを基に、各シーン毎にシーンの重要度が算出される。ここで、これらシーン１〜５のシーンの重要度を図６での番組６０２と同様すると、シーン抽出部１０６は、図６に示す第２の実施形態と同様、シーンの重要度が「５」以上のシーン３，５をダイジェストシーンとし、これらダイジェストシーン３，５のポインタ「Ｂ−３」，「Ｂ−５」とこれらのシーンの重要度とをプレイリスト登録部１０７（図１）に供給する。プレイリスト登録部１０７では、その処理手段により、そのシーンの重要度をもとに、それが大きい順にダイジェストシーンが配列されるようにする処理がなされ、これにより、ダイジェストシーン３のポインタ「Ｂ−３」，ダイジェストシーン５のポインタ「Ｂ−５」の順でその順序を設定する。そして、処理手段は、この番組８０２のダイジェストシーン３，５のシーンの重要度の合計を算出し、合計値が１７（＝１０＋７）であって、番組８０１のダイジェストシーン２，４のシーンの重要度の合計値（＝１３）よりも大きいことから、シーンの重要度の合計値が大きい番組順に、まず、番組８０２のダイジェストシーンのポインタをシーンの重要度が大きい順に、即ち、「Ｂ−３」，「Ｂ−５」の順に配列し、次に、番組８０１のダイジェストシーンのポインタをシーンの重要度が大きい順に、即ち、「Ｂ−３」，「Ｂ−５」の順に配列が変更され、番組８０１，８０２を一纏めにしたダイジェストのプレイリスト８０３が得られる。。
【００８９】
このように、この第４の実施形態では、シーンの重要度の高い番組順にダイジェストを視聴することができ、ユーザは、混乱することなく、かついち早くより見たいシーンを視聴することができる。
【００９０】
次に、本発明によるダイジェスト作成装置及びダイジェスト作成方法の第５の実施形態について、図１を用いて、説明する。
【００９１】
この第５の実施形態は、シーンのダイジェストシーンとしてのシーンの重要度の計算方法が、上記各実施形態の場合と相違するものであり、その相違の部分について説明する。
【００９２】
図１において、この第５の実施形態では、コンテンツ蓄積部１０１において、信頼性のあるジャーナリングファイルシステムを用いるものである。ジャーナリングファイルシステムでは、ファイルシステムの整合性を保つために、ファイルシステム上はファイルが消えているが、実際には、ファイルは消えないような作りになっており、一定期間経つと、実際に消す仕組みになっている。このため、ファイルシステム上にはないが、実際には消えていないファイルは、最近消されたファイルであることがわかる。同様に、ファイルの編集についても、ファイルシステム上では、編集後のファイルしかないが、実際には、編集前のファイルともに、編集後のファイルが残っている。
【００９３】
ジャーナリングファイルシステムのかかる仕組みを利用し、ファイルシステム上には、ファイルがないが、実際には、まだあるファイルのコンテンツに対しては、ユーザが最近まで残していたコンテンツと判断できるので、即ち、ユーザが重要だと思うコンテンツであると判断できるので、かかるコンテンツに含まれるメタ情報（キーワードなど）に対するシーンの重要度を高くして、シーン抽出のシーンの重要度の計算の際に、シーンにかかるメタ情報が入っている場合に、このシーンの重要度を高くする。
【００９４】
また、ユーザがコンテンツに対して不要なシーンを削除するといった編集をした場合、上記のジャーナリングファイルシステムの仕組みを利用し、編集前のファイルと編集後のファイルとからユーザの削除したシーンが分かるので、かかるシーンに含まれるメタ情報（キーワード）についてのシーンの重要度を低くして、シーン抽出のシーンの重要度の計算の際に、このシーンにメタ情報が入っていた場合にシーンの重要度を低くする。
【００９５】
このように、この第４の実施形態では、シーンの重要度の計算がよりユーザの嗜好にあったものになり、ダイジェストがよりユーザの嗜好にあったものにすることができる。
【図面の簡単な説明】
【００９６】
【図１】本発明によるダイジェスト作成装置及びダイジェスト作成方法の第１の実施形態を示すブロック図である。
【図２】図１におけるプレイリスト登録部１０７に登録されるダイジェストのプレイリストの一具体例を示す図である。
【図３】図１に示す実施形態のダイジェスト作成のための処理手順の一具体例の全体を概略的に示すフローチャートである。
【図４】図３におけるプレイリストの作成処理（ステップＳ３０１）の処理手順の一具体例を示すフローチャートである。
【図５】図４に示すプレイリストの作成処理（図３のステップＳ３０１）に続くダイジェスト作成処理（図３のステップＳ３０２）の一具体例を示すフローチャートである。
【図６】本発明によるダイジェスト作成装置及びダイジェスト作成方法の第２の実施形態におけるダイジェストのプレイリストの一具体例を示す図である。
【図７】本発明によるダイジェスト作成装置及びダイジェスト作成方法の第３の実施形態におけるダイジェストのプレイリストの一具体例を示す図である。
【図８】本発明によるダイジェスト作成装置及びダイジェスト作成方法の第４の実施形態におけるダイジェストのプレイリストの一具体例を示す図である。
【符号の説明】
【００９７】
１０１  コンテンツ蓄積部
１０２  映像コンテンツ入力部
１０３  シーン分割部
１０４  キーワード入力部
１０５  メタ情報取得部
１０６  シーン抽出部
１０７  プレイリスト登録部
１０８  受信部
１０９  インターネット
１１０  制御部
２０１，２０２  番組のコンテンツ
２０３，２０３Ａ，２０３Ｂ  ダイジェストのプレイリスト
６０１，６０２，７０１，７０２，８０１，８０２  番組のコンテンツ
６０３，７０３，８０３  ダイジェストのプレイリスト
【図１】
2008022351.tif 000003
【図２】
2008022351.tif 000004
【図３】
2008022351.tif 000005
【図４】
2008022351.tif 000006
【図５】
2008022351.tif 000007
【図６】
2008022351.tif 000008
【図７】
2008022351.tif 000009
【図８】
2008022351.tif 000010